(57)【要約】【課題】撮像装置の電力消費を低減しつつ、必要に応じて被写体に対する合焦状態を精度よく保持可能な撮像装置を提供する。【解決手段】撮像装置は、フォーカスレンズを含む光学系と、フォーカスレンズを駆動する駆動手段と、駆動手段へ電力を供給する供給手段と、駆動手段への電力供給方法を規定する電力供給モードを設定する設定手段と、供給手段から駆動手段への電力の供給を制御する制御手段とを備える。制御手段は、所定の電力供給モードが設定された場合に、フォーカスレンズの停止時において光学系の被写界深度の大きさに応じて、フォーカスレンズの状態を保持するための保持電力を駆動手段に供給するか否かを判断し、判断結果に応じて駆動手段への保持電力の供給を制御する。【選択図】図１
2010026502.tif 000002
【特許請求の範囲】
【請求項１】
フォーカスレンズを含む光学系と、
フォーカスレンズを駆動する駆動手段と、
前記駆動手段への電力の供給を制御する制御手段と、
前記駆動手段への電力供給方法を規定する電力供給モードを設定する設定手段と、
を備え、
前記制御手段は、所定の電力供給モードが設定された場合に、前記フォーカスレンズの停止時において、前記光学系の被写界深度の大きさに応じて、前記フォーカスレンズの状態を保持するための保持電力を前記駆動手段に供給するか否かを判断し、前記判断結果に応じて前記駆動手段への保持電力の供給を制御する、
撮像装置。
【請求項２】
前記駆動手段は、前記供給手段から保持電力が供給されている場合と供給されていない場合とで、前記フォーカスレンズの位置を保持する精度が異なる、請求項１に記載の撮像装置。
【請求項３】
前記駆動手段は、
前記供給手段から保持電力が供給されている場合、前記フォーカスレンズを停止位置に保持しつづけ、
前記供給手段から保持電力が供給されていない場合、前記フォーカスレンズを停止位置から所定範囲内の位置に保持し得る、
請求項２に記載の撮像装置。
【請求項４】
前記所定の電力供給モード以外の電力供給モードでは、前記制御手段は、前記フォーカスレンズの停止時において前記保持電力を前記駆動手段に供給するように制御する、請求項１に記載の撮像装置。
【請求項５】
前記光学系はさらにズームレンズ及び絞りを含み、
前記被写界深度の大きさは、前記ズームレンズの位置及び／又は前記絞りの開口状態に応じて決定される、
請求項１に記載の撮像装置。
【請求項６】
前記所定の電力供給モードは、他の電力供給モードよりも前記駆動手段の消費電力がより低減されるモードである、請求項１に記載の撮像装置。
【請求項７】
前記設定手段は、当該撮像装置が動画撮像時または画像再生時である場合、電力供給モードを前記所定の電力供給モードに設定する、請求項１に記載の撮像装置。
【請求項８】
交換レンズとカメラ本体とを含むカメラシステムであって、
前記カメラ本体は、
前記交換レンズへ電力を供給する供給手段と、
電力供給方法を規定する電力供給モードを設定する設定手段と、
前記設定された電力供給モードを示す設定情報を前記交換レンズへ送信する送信手段とを備え、
前記交換レンズは、
フォーカスレンズを含む光学系と、
前記供給手段からの電力を受けて前記フォーカスレンズを駆動する駆動手段と、
前記駆動手段への電力の供給を制御する制御手段と、を備え、
前記制御手段は、前記カメラ本体からの設定情報にしたがい所定の電力供給モードが設定された場合に、前記フォーカスレンズの停止時において前記光学系の被写界深度の大きさに応じて、前記フォーカスレンズの状態を保持するための保持電力を前記駆動手段に供給するか否かを判断し、前記判断結果に応じて前記駆動手段への保持電力の供給を制御する、
カメラシステム。
【請求項９】
前記カメラ本体が画像の記録、再生に関する複数の制御モードが設定可能であり、前記設定手段は、設定された制御モード及びカメラ本体の制御状態に応じて、前記電力供給モードを一時的に切り替える、請求項８に記載のカメラシステム。
【請求項１０】
カメラ本体に装着可能な交換レンズであって、
フォーカスレンズを含む光学系と、
前記カメラ本体から電力を受けて前記フォーカスレンズを駆動する駆動手段と、
前記駆動手段への電力の供給を制御する制御手段と、
前記カメラ本体からの制御にしたがい、前記駆動手段への電力供給方法を規定する電力供給モードを設定する設定手段と、を備え、
前記制御手段は、前記カメラ本体により所定の電力供給モードが設定された場合に、前記フォーカスレンズの停止時において、前記光学系の被写界深度の大きさに応じて、前記フォーカスレンズの状態を保持するための保持電力を前記駆動手段に供給するか否かを判断し、前記判断結果に応じて前記駆動手段への保持電力の供給を制御する、
交換レンズ。
【発明の詳細な説明】
【技術分野】
【０００１】
本発明は、フォーカスレンズを駆動可能な駆動手段を有する、デジタルスチルカメラやデジタルビデオカメラのような撮像装置に関する。
【背景技術】
【０００２】
従来のデジタルカメラは、ズームレンズ、フォーカスレンズ、絞りなどを駆動するモータ（アクチュエータ）を備える（例えば、特許文献１参照）。このようなデジタルカメラでは、モータの駆動音、最大動作速度、停止位置精度、消費電力などの様々な要素の向上を図るようにしたものが提案されている。
【０００３】
デジタルカメラの省電力化を図るため、駆動していないモータに対しては電力を供給しないことが考えられる。しかし、一般的なデジタルカメラに備えられるモータは電力が供給されないと、回転子を所望の位置に停止しておくことができず、レンズ等を所望の位置に制御できない。以下、ステッピングモータを例としてこれを説明する。
【０００４】
図１２にステッピングモータの断面図を示す。ステッピングモータは磁石からなる回転子１０と、電磁石が設けられた固定子２０とで構成される。ステッピングモータは、固定子巻線２２に電流を流して磁界を発生させ、この磁界と回転子１０の磁石間に生じる引力により回転子１０を回転させる。
【０００５】
マイクロステップ駆動で可動レンズを駆動するステッピングモータでは、固定子巻線２２への電流の導通を単純にＯＮ／ＯＦＦするのではなく、隣接する二つの巻線に流れる電流の比率を細かく制御することで、回転子１０の位置を細かく制御している。このため、ステッピングモータの固定子巻線２２に電流が供給されないと、固定子巻線２２で磁界が発生せず、回転子１０を所望の位置で保持することができなくなる。例えば、固定子巻線２２への電力が供給され回転子１０が所望の位置にある状態で（図１２（ａ））、電力の供給が停止すると、回転子１０は所望の位置からずれた位置に移動して停止する（図１２（ｂ））。以下、具体的にこの動作を説明する。固定子巻線２２に電流を供給することで磁界を発生していた電磁石部分２４は、固定子巻線２２に電流が供給されなくなると、回転子１０の磁力により磁化される。これによって、電磁石部分２４と回転子（磁石）１０の間に引力が発生し、回転子１０は所定の位置（安定点）に移動する。すなわち、図１２（ａ）に示すように、所定の割合で磁化されていた隣接する電磁石部分２４は固定子巻線２２への電流が供給されなくなると、回転子１０の磁石の磁力に基づいて均等に磁化される。そのため、図１２（ｂ）に示すように、回転子１０は隣接する２つの電磁石部分２４の間の中間位置で停止する。この停止位置が安定点である。
【０００６】
図１３は、ステッピングモータによりフォーカスレンズを駆動する駆動部の構成を示した図である。図１３（ａ）に示すように、フォーカスレンズ３１を駆動するステッピングモータ３３に電力が供給されている場合（励磁ＯＮの場合）、フォーカスレンズ３１は所望の停止位置に停止される。一方、ステッピングモータ３３に電力が供給されていない場合（励磁ＯＦＦの場合）、図１３（ｂ）のように、フォーカスレンズ３１は所望の停止位置よりもずれた位置に停止される。すなわち、このようなモータでは、モータへの電力が供給されない場合、レンズの停止位置の精度が悪くなる。
【先行技術文献】
【特許文献】
【０００７】
【特許文献１】特開２００８−９２６１９号公報
【発明の概要】
【発明が解決しようとする課題】
【０００８】
一般にコンパクトタイプのデジタルカメラでは、静止画撮影中は、フォーカスレンズの停止位置の精度が要求されるため、励磁をＯＮにする一方で、静止画撮影中以外の場合に、フォーカスレンズの停止位置の精度があまり要求されないため、励磁をＯＦＦにするような制御が行なわれている。このように、このコンパクトタイプのデジタルカメラでは、フォーカスレンズの停止位置の精度が不要である場合、駆動部材への電力供給を停止することで、省電力を図っている。
【０００９】
しかしながら、このようなデジタルカメラにおいても、動画撮影中には、フォーカスレンズの停止位置の精度が必要になる場合がある。例えば、ズームレンズが望遠側に駆動され、絞りが開放側に駆動された場合のように被写界深度が浅い場合である。このような場合、フォーカスレンズの停止位置の精度が悪いと、被写体に焦点が合わないことになり、ピンボケした動画像が撮像されてしまう。
【００１０】
また、動画撮影中以外においても、フォーカスレンズの停止位置の精度が必要になる場合がある。例えば、デジタルカメラが、撮像素子で生成された画像データを、液晶モニタにスルー画像として表示させる場合（ライブビュー時）である。この場合も同様に、ピンボケした動画像が撮像され、ピンボケしたスルー画像が表示される。
【００１１】
また、交換レンズとカメラ本体とで構成されるデジタルカメラシステムにおいても、交換レンズにおいて、コンパクトタイプのデジタルカメラと比べて被写界深度をより浅くすることが可能になるため、特に、上記のような問題が起こりやすい。
【００１２】
本発明は、上記課題を解決するため、撮像装置の電力消費を低減しつつ、必要に応じて被写体に対する合焦状態を精度よく保持可能な撮像装置を提供することを目的とする。
【課題を解決するための手段】
【００１３】
第１の態様において、以下の構成の撮像装置が提供される。撮像装置は、フォーカスレンズを含む光学系と、フォーカスレンズを駆動する駆動手段と、駆動手段への電力の供給を制御する制御手段と、駆動手段への電力供給方法を規定する電力供給モードを設定する設定手段とを備える。制御手段は、所定の電力供給モードが設定された場合に、フォーカスレンズの停止時において、光学系の被写界深度の大きさに応じて、フォーカスレンズの状態を保持するための保持電力を駆動手段に供給するか否かを判断し、判断結果に応じて前記駆動手段への保持電力の供給を制御する。
【００１４】
この構成により、撮像装置が所定のモード、例えば、省電力モードに設定された場合において、フォーカスレンズを停止して待機させる場合、被写界深度に応じて駆動手段に保持電力を供給するか否かを制御することができる。
【００１５】
第２の態様において、交換レンズとカメラ本体とを含むカメラシステムが提供される。カメラ本体は、交換レンズへ電力を供給する供給手段と、電力供給方法を規定する電力供給モードを設定する設定手段と、設定された電力供給モードを示す設定情報を交換レンズへ送信する送信手段とを備える。交換レンズは、フォーカスレンズを含む光学系と、供給手段からの電力を受けてフォーカスレンズを駆動する駆動手段と、駆動手段への電力の供給を制御する制御手段と、を備える。制御手段は、カメラ本体からの設定情報にしたがい所定の電力供給モードが設定された場合に、フォーカスレンズの停止時において光学系の被写界深度の大きさに応じて、フォーカスレンズの状態を保持するための保持電力を駆動手段に供給するか否かを判断し、判断結果に応じて駆動手段への保持電力の供給を制御する。
【００１６】
第３の態様において、カメラ本体に装着可能な交換レンズが提供される。交換レンズは、フォーカスレンズを含む光学系と、カメラ本体から電力を受けてフォーカスレンズを駆動する駆動手段と、駆動手段への電力の供給を制御する制御手段と、カメラ本体からの制御にしたがい、駆動手段への電力供給方法を規定する電力供給モードを設定する設定手段とを備える。制御手段は、カメラ本体により所定の電力供給モードが設定された場合に、フォーカスレンズの停止時において、光学系の被写界深度の大きさに応じて、フォーカスレンズの状態を保持するための保持電力を駆動手段に供給するか否かを判断し、判断結果に応じて駆動手段への保持電力の供給を制御する。
【発明の効果】
【００１７】
本発明に係る撮像装置は、所定のモードに設定され、フォーカスレンズを停止して待機させる場合、光学系の被写界深度に関する情報に応じて駆動手段に保持電力を供給するか否かを判断して、駆動手段に保持電力を供給する。これにより、撮像装置内での電力消費を低減しつつ、必要に応じて被写体に対する合焦状態を精度よく保持することができる。
【図面の簡単な説明】
【００１８】
【図１】実施の形態１のデジタルカメラの斜視図
【図２】実施の形態１のデジタルカメラの構成例を示すブロック図
【図３】（ａ）実施の形態１のカメラ本体の制御モード又は制御状態に応じて送信される設定情報を説明するための図、（ｂ）カメラシステムの制御状態に応じて設定される電力供給を説明するための図
【図４】実施の形態１の交換レンズが取得した設定情報に応じてフォーカス駆動部に保持電力を供給するか否かを判断するための図
【図５】実施の形態の被写界深度に関する情報に応じてフォーカス駆動部に保持電力を供給するか否かを判断するための図
【図６】実施の形態のカメラ本体の動作例を説明するためのフローチャート
【図７】実施の形態の交換レンズの動作例を説明するためのフローチャート
【図８】（ａ）保持電力ＯＮ設定におけるフォーカスレンズ駆動部への電力供給を説明した図、（ｂ）保持電力ＯＦＦ設定におけるフォーカスレンズ駆動部への電力供給を説明した図
【図９】実施の形態の交換レンズの動作例を説明するためのフローチャート
【図１０】実施の形態の交換レンズの動作例を説明するためのフローチャート
【図１１】他の実施の形態に係るカメラ本体の動作例を説明するためのフローチャート
【図１２】（ａ）ステッピングモータに対して保持電力を供給した場合のステッピングモータ内部の状態を説明するための図、（ｂ）ステッピングモータに対して保持電力を供給しない場合のステッピングモータ内部の状態を説明するための図
【図１３】（ａ）ステッピングモータに対して保持電力を供給した場合の、フォーカスレンズの停止位置を説明するための図、（ｂ）ステッピングモータに対して保持電力を供給しない場合のフォーカスレンズの停止位置を説明するための図
【発明を実施するための形態】
【００１９】
以下、添付の図面を参照して、本発明の実施形態を説明する。
【００２０】
（実施の形態１）
１．構成
１−１  全体構成の概要
図１は、実施の形態のデジタルカメラの斜視図である。図２は、実施の形態のデジタルカメラのハードウェア構成図である。
【００２１】
本実施の形態のデジタルカメラ１は、カメラ本体２と、カメラ本体２に着脱可能な交換レンズ３と、を備える。
【００２２】
カメラ本体２は、ＣＭＯＳセンサ２０１、メカシャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、およびスピーカー２１５を備える。
【００２３】
また交換レンズ３は、レンズマウント３０１、ズームレンズ３０３やフォーカスレンズ３０４、ＯＩＳレンズ３０５を含む光学系、フォーカスレンズ３０４を駆動するフォーカス駆動部３０６、ＯＩＳレンズ３０５を駆動するＯＩＳ駆動部３２０、絞り３０７、絞り３０７を駆動する絞り駆動部３０８、ズームリング３０９、フォーカスリング３１０、レンズコントローラ３１１、バッファメモリ３１２、ズームレンズ位置検出器３１３、フラッシュメモリ３１４、およびジャイロセンサー３３０を備える。
【００２４】
１−２  カメラ本体の構成
カメラ本体２は、交換レンズ３の光学系によって集光された被写体像を撮像して、撮像した画像データを記憶媒体に記録できるように構成されている。
【００２５】
ＣＭＯＳセンサ２０１は、受光素子と、ＡＧＣ（ゲイン・コントロール・アンプ）と、ＡＤコンバータを含んで構成される。受光素子は、光学系によって集光された光学的信号を電気信号に変換し、画像データを生成する。ＡＧＣは、ＣＭＯＳセンサ２０１から出力された電気信号を増幅する。ＡＤコンバータは、ＣＭＯＳセンサ２０１から出力された電気信号をデジタル信号に変換する。ＣＭＯＳセンサ２０１は、ＣＰＵ２１１から受信した制御信号に従って、露光、転送、電子シャッタなどの各種の動作を行う。この各種動作は、タイミングジェネレータ等で実現可能である。
【００２６】
メカシャッタ２０２は、光学系を介して入射された、ＣＭＯＳセンサ２０１に対する光学的信号の遮断又は通過を切り替える。メカシャッタ２０２は、メカシャッタ駆動部によって駆動される。メカシャッタ駆動部は、モータ、バネ等の機構部品からなり、ＣＰＵ２１１の制御によって、メカシャッタ２０２を駆動する。要するに、メカシャッタ２０２は、開けたり閉じたりして、ＣＭＯＳセンサ２０１に当たる光の量を時間的に調整する。
【００２７】
信号処理プロセッサ（ＤＳＰ）２０３は、ＡＤコンバータによってデジタル信号に変換された画像データに所定の画像処理を施す。所定の画像処理としては、ガンマ変換、ＹＣ変換、電子ズーム処理、圧縮処理、伸張処理等が考えられるが、これに限られるものではない。
【００２８】
バッファメモリ２０４は、信号処理プロセッサ２０３で処理を行う際、および、ＣＰＵ２１１で制御処理を行う際に、ワークメモリとして作用する。バッファメモリ２０４は、例えば、ＤＲＡＭなどで実現可能である。
【００２９】
液晶モニタ２０５は、カメラ本体２の背面に配置され、ＣＭＯＳセンサ２０１で生成された画像データまたはその画像データに所定の処理が施された画像データを表示可能である。液晶モニタ２０５に入力される画像信号は、信号処理プロセッサ２０３から液晶モニタ２０５に出力される際、ＤＡコンバータによってデジタル信号からアナログ信号に変換される。
【００３０】
電子ビューファインダー２０６は、カメラ本体２に配置され、ＣＭＯＳセンサ２０１で生成された画像データまたはその画像データに所定の処理が施された画像データを表示可能である。電子ビューファインダー２０６に入力される画像信号も同様に、信号処理プロセッサ２０３から電子ビューファインダー２０６に出力される際、ＤＡコンバータによってデジタル信号からアナログ信号に変換される。
【００３１】
液晶モニタ２０５と電子ビューファインダー２０６への表示は、表示切替手段２１７によって切り替えられる。すなわち、液晶モニタ２０５に画像が表示されている間は、電子ビューファインダー２０６には何も表示されない。また、電子ビューファインダー２０６に画像が表示されている間は、液晶モニタ２０５には何も表示されないように構成されている。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５との電気的な接続が切断され、信号処理プロセッサ２０３と電子ビューファインダー２０６とが電気的に接続される。なお上記に限られず、表示切替手段２１７は、ＣＰＵ２１１などから制御信号に基づいて、液晶モニタ２０５と電子ビューファインダー２０６への表示の切り替えを行なってもよい。
【００３２】
以上のように、液晶モニタへの表示と、電気ビューファインダーへの表示とを切り替えるようにしている。但し、これは、構成上の制限からくる問題であるため、液晶モニタへの表示と、電子ビューファインダーへの表示を同時に行なうようにしてもかまわない。同時に表示する場合、液晶モニタに表示する画像と、電子ビューファンダーへ表示する画像は、同じ画像であっても、違う画像であってもかまわない。
【００３３】
電源２０７は、デジタルカメラ１で消費するための電力を供給する。電源２０７は、例えば乾電池であってもよいし、充電池であってもよい。また、電源２０７は、コードを介して外部から供給される電力を、デジタルカメラ１に供給してもよい。
【００３４】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等のメカニカルな部材によって機械的にも接続可能である。ボディマウント２０８は、交換レンズ３に含まれるレンズコントローラ３１１からの信号をＣＰＵ２１１へ出力できるとともに、ＣＰＵ２１１からの信号を交換レンズ３のレンズコントローラ３１１に出力できる。すなわち、ＣＰＵ２１１は、交換レンズ３側のレンズコントローラ３１１と制御信号や光学系に関する情報などを送受信可能である。また、ボディマウント２０８は、電源２０７から供給された電力を、レンズコントローラ３１１に供給する。これによって、ボディマウント２０８は、交換レンズ３内で消費される電力を供給するようにしている。
【００３５】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にＣＰＵ２１１の制御のためのプログラムや設定値などを記憶可能である。
【００３６】
カードスロット２１０は、記憶媒体であるメモリカード２１８を着脱するためのスロットである。メモリカード２１８は、画像データまたはその画像データに所定の処理が施された画像データを記憶可能である。また、デジタル化された音声信号も記憶可能である。
【００３７】
ＣＰＵ２１１は、カメラ本体２全体を制御するものである。ＣＰＵ２１１は、マイクロコンピュータで実現してもよく、ハードワイヤードな回路で実現してもよい。すなわち、ＣＰＵ２１１は、各種の制御を実行する。各種の制御については、２−１．で記載する。
【００３８】
シャッタスイッチ２１２は、カメラ本体２の上面に設けられた釦であり、使用者からの半押しおよび全押し操作を検知する。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。なお、本実施の形態において全押し信号は、撮影開始信号である。
【００３９】
ストロボ２１３は、ＣＰＵ２１１からの制御信号に基づいて、被写体に対して光の照射を行なう。例えば、ストロボ２１３は、キセノンランプやコンデンサー等を用いて実現できる。このように構成した場合、ストロボ２１３は、コンデンサーに高電圧の電荷を蓄積しておき、この電荷をキセノンランプの電極に加えることによって、光の照射するようにしている。
【００４０】
マイク２１４は、音声を電気信号に変換する。このマイク２１４から出力された電気信号は、ＡＤコンバータによってデジタル信号に変換される。ＡＤコンバータで変換されたデジタル信号は、ＣＰＵ２１１の制御に従って、フラッシュメモリ２０９またはメモリカード２１８に記憶される。
【００４１】
スピーカー２１５は、電気信号を音声に変換する。スピーカー２１５へ入力される電気信号は、ＤＡコンバータでデジタル信号から電気信号に変換された信号である。ＤＡコンバータへの出力は、ＣＰＵ２１１の制御によって、フラッシュメモリ２０９またはメモリカード２１８から読み出されたデジタル信号が出力される。
【００４２】
モード切替ダイヤル２２１は、カメラ本体２の外側に取り付けられた操作部材である。モード切替ダイヤル２２１は、略円形形状で構成され、使用者による回動操作によって、複数の制御モードから一つの制御モードの選択を可能とする。すなわち、モード切替ダイヤル２１１は、複数の制御モードのなかの一つを選択できるようにするため、所定の位置に移動された制御モードを検知できるようにしている。複数の制御モードには、「静止画撮影モード」、「動画撮影モード」、又は「再生モード」などが含まれる。例えば、モード切替ダイヤルの上面に記載された「静止画撮影モード」を示す画像が、所定の位置（選択位置）に移動されると、モード切替ダイヤル２２１は、「静止画撮影モード」に変更されたことを示すモード切替信号をＣＰＵ２１１に出力する。これによって、制御モードの切り替えを検知できるようにしている。
【００４３】
１−３  交換レンズの構成
光学系は、ズームレンズ３０３と、フォーカスレンズ３０４と、ＯＩＳレンズ３０５と、対物レンズ３０２とを含み、被写体からの光を集光する。ズームレンズ３０３は、ズームリング３０９によって駆動され、ズーム倍率を調整する。フォーカスレンズ３０４は、フォーカス駆動部３０６又はフォーカスリング３１０によって駆動され、ピントの調節を行なう。ＯＩＳレンズ３０５は、ＯＩＳ駆動部３２０によって駆動される。フォーカスレンズ３０４やズームレンズ３０３、ＯＩＳレンズ３０５は可動レンズである。
【００４４】
ここで、ＯＩＳレンズ３０５は、光学系の光軸に垂直な面内で移動可能である。ＯＩＳレンズ３０５が光学系の光軸に垂直な面内で移動することにより、光学系の光軸を曲げることができる。後述するＯＩＳ駆動部３２０で検出したデジタルカメラ１のぶれを相殺する方向にＯＩＳレンズ３０５を移動することにより、デジタルカメラ１のぶれに起因する像ぶれを防止できる。
【００４５】
フォーカス駆動部３０６は、レンズコントローラ３１１の制御にしたがって、フォーカスレンズ３０４を駆動させる。本実施形態では、フォーカス駆動部３０６は、ステッピングモータとドライバで実現した例を説明している。フォーカス駆動部３０６は、レンズコントローラ３１１から電力が供給されてフォーカスレンズ３０４を駆動するように構成されている。なお、フォーカス駆動部３０６は、レンズコントローラ３１１から電力が供給されている場合、フォーカスレンズ３０４を所望の位置に停止させる。一方、フォーカス駆動部３０６は、レンズコントローラ３１１から電力が供給されていない場合、フォーカスレンズ３０４を所望の位置よりも精度の悪い位置に停止させる。要するに、フォーカス駆動部３０６は、レンズコントローラ３１１から電力が供給されている場合と供給されていない場合とで、フォーカスレンズ３０４を停止して保持させる際の停止位置の精度が異なる。フォーカス駆動部３０６は、電力が供給された場合、供給されない場合よりも、より細かく（より高い精度で）、所望の位置にフォーカスレンズ３０４を停止できる。
【００４６】
ここでフォーカス駆動部３０６は、電力が供給されている場合、フォーカスレンズ３０４を所望の位置に停止させるようにしたが、このフォーカスレンズ３０４を厳密な位置に停止させる必要はない。すなわち、フォーカス駆動部３０６は、レンズコントローラ３１１から電力が供給されていない場合にフォーカスレンズ３０４が停止される位置の精度よりも高い精度で、フォーカスレンズ３０４を停止できるものであればよい。
【００４７】
ＯＩＳ駆動部３２０は、ジャイロセンサー３３０の出力に基づいたレンズコントローラ３１１の制御にしたがって、ＯＩＳレンズ３０５を駆動させる。光学式像ぶれ補正機能は、ジャイロセンサー３３０、レンズコントローラ３１１、ＯＩＳ駆動部３２０及びＯＩＳレンズ３０５によって実現可能である。ジャイロセンサー３３０は、デジタルカメラ１の動き角速度を検出する。レンズコントローラ３１１は、ＯＩＳ駆動部３２０で検出された角速度を積分して、デジタルカメラ１の角速度を算出する。これが、デジタルカメラ１のぶれ量である。そして、レンズコントローラ３１１は、デジタルカメラ１の動きを相殺して、被写体像がＣＭＯＳセンサ２０１上で極力動かないように、ＯＩＳレンズ３０５を駆動するよう、ＯＩＳ駆動部３２０に指示する。ＯＩＳ駆動部３２０は、この指示に従って、ＯＩＳレンズ３０５を駆動する。ＯＩＳレンズ３０５は、上述のように、光学系の光軸の垂直面内で移動することにより、光学系の光軸を曲げることができる。これによって、被写体像がＣＭＯＳセンサ２０１上で極力動かないようにすることができる。
【００４８】
絞り３０７は、光学系を通過する光の量を調整する。例えば、光の調整は、５枚羽根などで構成される開口部を大きくしたり、小さくしたりすることで可能である。
【００４９】
絞り駆動部３０８は、絞り３０７の開口部の大きさを変更する。実施の形態１では、レンズコントローラ３１１の制御に基づいて、絞り３０７の開口部の大きさを変更するようにしている。ここで開口部の大きさはＦ値によって指定できる。なお、絞り駆動部３０８は、レンズコントローラ３１１からの制御に基づいて、絞り３０７を駆動するようにしているが、これに限られず、機械的な方法によって駆動させてもよい。
【００５０】
なお、絞り駆動部３０８は、絞りの開口部の大きさ（位置）を検出し、ＡＶ（Aperture Value）値（明るさに関する情報）として出力するエンコーダを備える。絞り駆動部３０８は、ＡＶ値をレンズコントローラ３１１に出力する。この絞り駆動部３０８から出力されるＡＶ値は、例えば、ＡＶ０〜５である。
【００５１】
ズームリング３０９は、交換レンズ３の外側に設けられ、使用者の操作に応じて、ズームレンズ３０３を駆動させる。ズームリング３０９は、使用者によって回動操作されると、機械的にズームレンズ３０３を駆動する。
【００５２】
フォーカスリング３１０は、交換レンズ３の外側に設けられ、使用者からの操作に応じて、フォーカスレンズ３０４を駆動させる。なお、フォーカスリング３１０は、使用者によって回動操作されると、摺動抵抗が操作を検知し、レンズコントローラ３１１に操作に関する信号が入力される。レンズコントローラ３１１は、入力された操作に関する信号に応じて、フォーカス駆動部３０６を制御する。これによって、フォーカス駆動部３０６は、フォーカスレンズ３０４を駆動する。
【００５３】
レンズコントローラ３１１は、交換レンズ３全体を制御する。レンズコントローラ３１１は、マイクロコンピュータで実現してもよく、ハードワイヤードな回路で実現してもよい。すなわち、レンズコントローラ３１１は、各種の制御を実行する。なお、レンズコントローラ３１１の各種制御は、セクション２−２で記載する。
【００５４】
バッファメモリ３１２は、レンズコントローラ３１１で制御処理を行う際に、ワークメモリとして作用する。バッファメモリ３１２は、例えば、ＤＲＡＭなどで実現可能である。
【００５５】
フラッシュメモリ３１４は、レンズコントローラ３１１と電気的に接続して構成される。そして、フラッシュメモリ３１４は、制御プログラムやパラメータ等が記憶可能になっている。
【００５６】
ズームレンズ位置検出器３１３は、ズームレンズ３０３のズームポジションに関する情報を取得する。具体的には、ズームポジションは、ズームレンズ３０３の可動範囲を複数に分割して得られる領域毎に指定されるズームレンズ３０３の位置を示す。レンズコントローラ３１１は、このズームレンズ位置検出器３１３が検出したズームポジションに関する情報を定期的に取得する。
【００５７】
ズームレンズ位置検出器３１３は、摺動抵抗等で構成され、ズームレンズ３０３のズームポジションに関する情報を電圧値で検出する。また、レンズコントローラ３１１は、ズームレンズ位置検出器３１３が検出した電圧値を定期的に読み出し、この電圧値をＡＤ変換することで、２５６分割したズームポジションに関する情報（デジタル化したデータ）を取得する。なお、本実施の形態では、説明を簡易にするため、６分割したズームポジションに関する情報を用いている。
【００５８】
１−４  用語の対応
デジタルカメラ１は撮像装置又はカメラシステムの一例である。フォーカス駆動部３０６は駆動手段の一例である。ＣＰＵ２１１及びレンズコントローラ３１１は、設定手段及び制御手段の一例である。電源２０７は供給手段の一例である。ＣＰＵ２１１及びボディマウント２０８の組み合わせは送信手段の一例である。
【００５９】
２．カメラ本体及び交換レンズ内の制御
以上のように構成されるカメラシステムの制御を以下に詳細に説明する。
【００６０】
２−１．カメラ本体のＣＰＵの制御
本実施形態のカメラシステム１は、制御モードとして、動画を撮影する動画撮影モード、静止画を撮影する静止画撮影モード、画像を再生する再生モード等に設定可能である。また、交換レンズ３に設定される電力供給モードとして、標準モードと、標準モードよりも電力消費を低減する省電力モードとがある。図３（ａ）に、カメラ本体２に設定される制御モードと、各制御モードにおいて設定される電力供給との対応を示す。標準モードでは、フォーカスレンズ３０４を駆動させない場合であっても、フォーカス駆動部３０６への電力供給は継続する。これに対して、省電力モードでは、フォーカスレンズ３０４を駆動させない場合は、フォーカス駆動部３０６への電力の供給は停止し、これにより省電力化を図っている。
【００６１】
カメラ本体２のＣＰＵ２１１は、図３（ａ）に示す関係に基づき、カメラ本体２に設定された制御モードに応じて、交換レンズ３を省電力モードに設定する必要があるか否かを判断する。例えば、ＣＰＵ２１１は、交換レンズ３を省電力モードに設定する必要があると判断した場合、省電力モードに制御するための制御情報を交換レンズ３に送信する。
【００６２】
制御モードは、使用者によりモード切替ダイヤル２２１によって選択される。ＣＰＵ２１１は、モード切替ダイヤル２２１によって選択されたモードが、動画撮影モード又は再生モードである場合、省電力モードに設定する必要があると判断する。これは、動画撮影モード又は再生モードが、静止画撮影モードと比べて、フォーカスレンズの停止位置の精度を必要としないからである。一方、モード切替ダイヤル２２１によって選択されたモードが静止画撮影モードである場合、ＣＰＵ２１１は、標準モードに設定する必要があると判断する。
【００６３】
ＣＰＵ２１１は、上述したように、省電力モードに設定する必要があるか否かを示す設定情報をレンズコントローラ３１１に送信する。具体的には、ＣＰＵ２１１は、省電力モードに設定する必要があると判断した場合、省電力モードを示す設定情報をレンズコントローラ３１１に送信する。一方、省電力モードに設定する必要がないと判断した場合、ＣＰＵ２１１は標準モードを示す設定情報をレンズコントローラ３１１に送信する。レンズコントローラ３１１はこの設定情報に応じた電力制御を行う。
【００６４】
２−２．交換レンズのレンズコントローラの制御
交換レンズ３においてレンズコントローラ３１１は、省電力モード又は標準モードを示す設定情報をＣＰＵ２１１から受信する。また、レンズコントローラ３１１は、受信した設定情報に応じて省電力モード又は標準モードに交換レンズ３を設定する。
【００６５】
さらに、レンズコントローラ３１１は、図４に示すように、電力設定（標準モード）に応じて、フォーカス駆動部３０６に、フォーカスレンズ３０４の位置を保持するための電力（以下「保持電力」という。）を供給するか否かを決定する。
【００６６】
すなわち、レンズコントローラ３１１は、標準モードに設定した場合、フォーカス駆動部３０６に、フォーカスレンズ３０４の位置を保持するための保持電力を供給する。一方、省電力モードに設定した場合、レンズコントローラ３１１は、フォーカスレンズ３０４を停止した位置で保持する場合、光学系の被写界深度に応じて、フォーカス駆動部３０６に保持電力を供給するか否かを決定する。
【００６７】
レンズコントローラ３１１は、フォーカス駆動部３０６に保持電力を供給すると判断した場合、フォーカスレンズ３０４を停止しその位置を保持させる際に、フォーカス駆動部３０６に保持電力を供給する。このとき、レンズコントローラ３１１は、ボディマウント２０８から供給された電力をフォーカス駆動部３０６に保持電力として供給する。
【００６８】
レンズコントローラ３１１の制御を具体的に説明する。レンズコントローラ３１１は、省電力モード又は標準モードを示す設定情報をカメラ本体２のＣＰＵ２１１から受信すると、この設定情報をバッファメモリ３１２に記憶する。レンズコントローラ３１１はこの設定情報にしたがい交換レンズ３を省電力モード又は標準モードに設定する。
【００６９】
レンズコントローラ３１１は、バッファメモリ３１２に記憶された設定情報が標準モードを示す場合、フォーカス駆動部３０６に保持電力を供給する。一方、レンズコントローラ３１１は、バッファメモリ３１２に記憶された設定情報が省電力モードを示す場合、光学系の被写界深度を考慮して保持電力の供給／停止を決定する。被写界深度が深いときは、保持電力を供給しないためにフォーカスレンズ３０４の停止位置が多少ずれても、合焦状態に影響が少ないため、画質に影響がない。しかし、被写界深度が浅いときは、保持電力を供給しないためにフォーカスレンズ３０４の停止位置がずれると、すぐに合焦状態が得られなくなるため、画質が劣化する。このように、被写界深度が深いときは、保持電力を供給しなくても問題ないが、被写界深度が浅いときは、保持電力を供給しないと画質の劣化を招くおそれがある。そこで、本実施形態では、被写界深度を考慮して、保持電力の供給／停止を決定する。
【００７０】
具体的には、レンズコントローラ３１１は、光学系の被写界深度に関する情報として、ズームレンズ３０３のズームポジションに関する情報と、絞り３０７のＡＶ値とを取得する。ズームポジションに関する情報は、ズームレンズ位置検出器３１３から出力された情報に基づいて取得することができる。また、ＡＶ値は、絞り駆動部３０８から出力された情報に基づいて取得することができる。ズームレンズ３０３のズームポジションと、絞り３０７のＡＶ値とから被写界深度を求め、求めた被写界深度毎に保持電力を供給（ＯＮ）するか、停止（ＯＦＦ）するかを決定する。図５に、ズームレンズ３０３のズームポジションと絞り３０７のＡＶ値と、保持電力の供給（ＯＮ）／停止（ＯＦＦ）との関係を示すテーブル情報を示す。
【００７１】
レンズコントローラ３１１は、図５に示すテーブル情報を参照し、取得した情報に基づいて、フォーカス駆動部３０６に保持電力を供給するか否かを判断する。例えば、ズームポジションが「３」であり、ＡＶ値が「２」である場合（被写界深度が浅い場合）、励磁ＯＮとなり、保持電力をフォーカス駆動部３０６に供給することを決定する。
【００７２】
レンズコントローラ３１１は、フォーカス駆動部３０６に保持電力を供給すると判断した場合、フォーカスレンズ３０４を停止位置で待機させる際に、フォーカスレンズ３０４に保持電力を供給する。一方、レンズコントローラ３１１は、フォーカス駆動部３０６に保持電力を供給しないと判断した場合、フォーカスレンズ３０４の停止位置で待機させる際に、フォーカスレンズ３０４に保持電力を供給しないようにする。なお、フォーカスレンズ３０４に保持電力を供給しないとは、継続的な保持電力の供給を停止するということである。すなわち、レンズコントローラ３１１は、フォーカスレンズ３０４を停止してから待機させる間に、一時的な保持電力を供給してもよい。
【００７３】
３．動作
上記のように構成されたデジタルカメラ１の動作を、図６〜９のフローチャートを用いて説明する。以下では、カメラ本体２に交換レンズ３が装着されているとして説明を行なう。カメラ本体２は電源がＯＮになると以下の動作を開始する。
【００７４】
まず、図６のフローチャートを用いてカメラ本体２の動作を説明する。
カメラ本体２の電源がＯＮにされると又は制御モードが変更されると（Ｓ１１）、ＣＰＵ２１１は、制御モードが動画撮影モード又は再生モードに設定されているか否かを判断する（Ｓ1２）。ＣＰＵ２１１は、カメラ本体２の電源ＯＮにされた場合、モード切替ダイヤル２２１で選択された制御モードを検知する。そして、ＣＰＵ２１１は、モード切替ダイヤル２２１で検知した制御モードを、制御モードに関する情報としてバッファメモリ２０４に記憶する。これによって、ＣＰＵ２１１は、記憶された制御モードに関する情報に応じて、カメラ本体２の各部を制御できる。
【００７５】
図６に戻って、ＣＰＵ２１１は、ステップＳ1２で動画撮影モード又は再生モードに設定されていると判断した場合、省電力モードを示す設定情報をレンズコントローラ３１１に送信する（Ｓ1３）。一方、ステップＳ1２で動画撮影モード及び再生モードのいずれにも設定されていないと判断した場合、ＣＰＵ２１１は、標準モードを示す設定情報をレンズコントローラ３１１に送信する（Ｓ1４）。
【００７６】
以降、モード切替ダイヤル２２１による制御モードの変更があると、上記の処理が繰り返される。
【００７７】
次に、図７、８のフローチャートを用いて、交換レンズ３の動作を説明する。
レンズコントローラ３１１は、省電力モード又は標準モードを示す設定情報を取得したか否かを判断する（Ｓ２１）。
【００７８】
レンズコントローラ３１１は、設定情報を受信すると、バッファメモリ３１２に設定情報を記憶する（Ｓ２２）。その後、レンズコントローラ３１１は、受信した設定情報が省電力モードを示すか否かを判断する（Ｓ２３）。
【００７９】
レンズコントローラ３１１は、受信した設定情報が省電力モードを示す場合、光学系の被写界深度に関する情報に応じて、フォーカス駆動部３０６に保持電力を供給するか否かを判断する（Ｓ２４）。この判断の具体的手法は、図５のテーブルを参照して説明したとおりである。レンズコントローラ３１１は、保持電力を供給すると判断した場合、フォーカスレンズ３０４の駆動後にフォーカス駆動部３０６に保持電力を供給するような動作設定（以下「保持電力ＯＮ設定」という）を行なう（Ｓ２５）。一方、保持電力を供給しないと判断した場合、レンズコントローラ３１１は、フォーカスレンズ３０４の駆動後にフォーカス駆動部３０６に保持電力を供給しないような動作設定（以下「保持電力ＯＦＦ設定」という）を行う（Ｓ２６）。
【００８０】
一方、ステップＳ２３において、受信した設定情報が標準モードを示す場合、レンズコントローラ３１１は、フォーカスレンズ３０４の駆動後にフォーカス駆動部３０６に保持電力を供給するような動作設定（保持電力ＯＮ設定）を行なう（Ｓ２７）。
【００８１】
図８は、保持電力ＯＮ設定及び保持電力ＯＦＦ設定がなされたときのフォーカス駆動部３０６へ供給される電力を説明した図である。保持電力ＯＮ設定がなされた場合、図８（ａ）に示すように、フォーカスレンズ３０４の駆動時のみならず、フォーカスレンズ３０４の駆動後、その停止位置でフォーカスレンズ３０４を待機させる場合にも、フォーカス駆動部３０６へ保持電力が供給される。一方、保持電力ＯＦＦ設定がなされた場合、図８（ｂ）に示すように、フォーカスレンズ３０４の駆動後、その停止位置でフォーカスレンズ３０４を待機させる場合、フォーカス駆動部３０６へは電力が供給されない。すなわち、フォーカスレンズ３０４の駆動時のみ電力が供給される。
【００８２】
図９のフローチャートを参照し、保持電力ＯＮ設定及び保持電力ＯＦＦ設定がなされたときの動作を説明する。
【００８３】
まず、レンズコントローラ３１１は、フォーカスレンズ３０４の駆動が必要か否かを判断する（Ｓ３1）。ここでフォーカスレンズの駆動が必要な場合とは、交換レンズ３内でズームトラッキングの動作が必要になった場合やカメラ本体２からの制御信号に応じてフォーカスレンズ３０４を駆動する必要がある場合などである。
【００８４】
レンズコントローラ３１１は、フォーカスレンズ３０４の駆動が必要であると判断した場合、フォーカス駆動部３０６に駆動の電力を供給してフォーカスレンズ３０４を駆動させる（Ｓ３２）。駆動電力は、保持電力が供給されている場合、保持電力に継続して電力を供給すればよい。なお、駆動電力と保持電力は説明の明確化のため、区別して記載しているが、厳密な切り分けは必要ない。
【００８５】
フォーカス駆動部３０６の駆動完了後、レンズコントローラ３１１は、保持電力ＯＮ設定がなされているか否かを判断する（Ｓ３３）。保持電力ＯＮ設定がなされている場合、レンズコントローラ３１１は、フォーカス駆動部３０６に保持電力を供給する（Ｓ３４）。この保持電力の供給により、フォーカス駆動部３０６は、所望の位置にフォーカスレンズ３０４を停止させることができる。一方、保持電力ＯＦＦ設定がなされている場合、レンズコントローラ３１１はフォーカス駆動部３０６に保持電力を供給しない（Ｓ３５）。保持電力が供給されないと、フォーカス駆動部３０６は、所望の位置からずれた位置にフォーカスレンズ３０４を停止させるおそれがある。
【００８６】
以上の一連の処理が完了すると、ステップＳ３１に戻って以下同様の処理を行う。
【００８７】
なお、カメラシステム１において、ズームレンズ３０３や絞り３０７が駆動されると、光学系の被写界深度が変化する。この場合、交換レンズ３では、被写界深度を考慮し、図１０のフローチャートのような動作を行なうのが好ましい。
【００８８】
レンズコントローラ３１１は、ズームレンズ３０３又は絞り３０７が調整されたことを検知すると（Ｓ４１）、バッファメモリ３１２に記憶された設定情報を読み込んで、省電力モードに設定されているか否かを判断する（Ｓ４２）。レンズコントローラ３１１は、省電力モードに設定されていると判断した場合、ステップＳ４３の処理を行い、省電力モードに設定されていないと判断した場合、ステップＳ４１の処理に戻る。
【００８９】
ステップＳ４３において、レンズコントローラ３１１は、被写界深度に関する情報として、ズームレンズ位置検出器３１３から出力された情報に基づくズームポジションに関する情報と、絞り駆動部３０８から出力された情報に基づくＡＶ値とを取得する。この取得された情報は、ズームレンズ３０３又は絞り駆動部３０８を調整した後に出力された情報に基づくものである。そしてレンズコントローラ３１１は、ズームポジションとＡＶ値（被写界深度）に基づいて図５のテーブル情報を参照し、保持電力を供給する必要があるか否かを判断する（Ｓ４４）。レンズコントローラ３１１は、保持電力を供給する必要ありと判断した場合、フォーカス駆動部３０６に保持電力を供給するような動作の設定（保持電力ＯＮ設定）を行なう（Ｓ４５）。一方、レンズコントローラ３１１は、保持電力を供給しないと判断した場合、フォーカス駆動部３０６に保持電力を供給しないような動作の設定（保持電力ＯＦＦ設定）を行なう（Ｓ４６）。
【００９０】
以上の構成により、交換レンズ３自体で、保持電力を供給する必要があるか否かを判断することができる。このため、カメラ本体２は、省電力モードを示す情報を送信するだけで、被写体に対する合焦状態を保持しつつ交換レンズ３内の電力消費を低減することができるようになる。
【００９１】
４．まとめ
デジタルカメラ１は、カメラ本体２と、カメラ本体２に着脱可能な交換レンズ３と、を備える。カメラ本体２は、交換レンズ３に指示を送信するＣＰＵ２１１、を備える。交換レンズ３は、フォーカスレンズ３０４を含む光学系と、フォーカスレンズ３０４を駆動するフォーカス駆動部３０６と、カメラ本体２からの指示に応じて、自レンズを省電力モードに設定可能なレンズコントローラ３１１と、レンズコントローラ３１１で省電力モードに設定され、フォーカスレンズ３０４を停止して待機させる場合、光学系の被写界深度に関する情報に応じて、フォーカスレンズ３０４を停止して待機させるための保持電力をフォーカス駆動部３０６に供給するか否かを判断するレンズコントローラ３１１と、レンズコントローラ３１１の判断結果に応じて、フォーカス駆動部３０６に保持電力を供給するレンズコントローラ３１１と、を備える
【００９２】
このようにすれば、省電力モードに設定され、フォーカスレンズを停止位置で保持する場合において、被写界深度に応じて、フォーカス駆動部に保持電力を供給するか否かを判断することができる。よって、被写界深度が浅い場合、フォーカス駆動部に保持電力を供給し、一方、被写界深度が深い場合、フォーカス駆動部に保持電力を供給しないように制御できる。したがって、被写界深度が浅い場合は、被写体に対する合焦状態を保つことを優先でき、画質の劣化を防止できる。一方で、被写界深度が深い場合は、電力消費の低減を優先でき、省電力化が図れる。
【００９３】
（他の実施の形態）
以上、本発明の実施の形態１を説明した。しかし、本発明は上記の実施の形態に限定されず、他の実施の形態においても実現可能である。そこで、他の実施の形態を以下まとめて説明する。
【００９４】
上記の実施の形態では、撮像素子をＣＭＯＳセンサで構成した。しかし、撮像素子はこれに限られず、例えば、ＣＣＤイメージセンサで構成してもよい。すなわち、撮像素子は、被写体像を撮像して、画像データ（デジタル信号又は電気信号）を生成できるものであれば、どのような構成であってもかまわない。なお、撮像素子をＣＭＯＳセンサで構成した場合、消費電力を減らすことができる。
【００９５】
上記の実施の形態のＣＰＵ２１１は、カメラ本体２に設定された制御モードに応じて、交換レンズ３を省電力モードに設定する必要があるか否かを判断した。しかし、これに限られず、さらにカメラ本体２の制御状態（操作状態）も考慮して、交換レンズ３を省電力モードに設定する必要があるか否かを判断してもよい。例えば、モード切替ダイヤル２２１によって選択されたモードが静止画撮影モードである場合、ＣＰＵ２１１は、シャッタスイッチ２１２が半押しされた状態で保持されているか否かに応じて、省電力モードに設定する必要があるか否かを判断してもよい（図３（ｂ）参照）。ＣＰＵ２１１は、シャッタスイッチ２１２が半押しされた状態で保持されている場合、交換レンズ３を省電力モードに設定する必要がないと判断する。静止画撮影モードにおいて、シャッタスイッチ２１２が半押しされると、デジタルカメラ１は撮影開始のための準備に入るからである。すなわち、撮影開始のための準備では、一般的にオートフォーカス制御が行なわれるため、フォーカスレンズの停止位置の精度が要求されるからである。一方、ＣＰＵ２１１は、シャッタスイッチ２１２が半押しされていない場合、交換レンズ３を省電力モードに設定する必要があると判断する。これにより、消費電力を低減できる。
【００９６】
具体的なカメラ本体２の動作を図１１のフローチャートを用いて説明する。ＣＰＵ２１１は、静止画撮影モードに設定されると、省電力モードを示す設定情報をレンズコントローラ３１１に送信する（Ｓ５１）。この後、ＣＰＵ２１１は、シャッタスイッチ２１２が半押し状態か否かを判断する（Ｓ５２）。シャッタスイッチ２１２が半押し状態にあるとき、ＣＰＵ２１１は、標準モードを示す設定情報をレンズコントローラ３１１に送信する（Ｓ５３）。この後、ＣＰＵ２１１は、シャッタスイッチ２１２の半押しが解除されたか否かを判断する（Ｓ５４）。シャッタスイッチ２１２の半押しが解除されたと判断すると、ＣＰＵ２１１は、ステップＳ５１に戻り、上記と同様の処理を行う。
【００９７】
また、上記の実施の形態では、図５に示すテーブル情報を用いて、ズームポジション及びＡＶ値に応じて被写界深度を評価し、保持電力を供給するか否かを判断した。しかし、これに限られず、ズームレンズの位置に応じた焦点距離と絞りの絞り値等に基づいて被写界深度を示す情報を算出し、この情報に応じて判断するようにしてもよい。また、被写界深度に関する情報として、ズームポジションまたはＡＶ値のいずれかのみを用いてもよい。
【００９８】
また、上記の実施の形態では、被写界深度に関する情報として、焦点距離に対応するズームポジションに関する情報と、絞り値に対応するＡＶ値を用いて説明を行なった。しかし、これに限られず、被写界深度に関する情報は、フォーカスレンズによって焦点が合わされたピント位置や最小散乱円（許容散乱円）の直径に関する情報等が考えられる。
【００９９】
また、上記の実施の形態では、駆動手段を、ステッピングモータとドライバと備えるフォーカス駆動部３０６で構成するようにした。しかし、これに限られず、駆動手段は、保持電力を供給した場合と供給しない場合とで、フォーカスレンズを異なる精度の位置に停止して待機させるものであればどのような構成であってもかまわない。従って、駆動手段には、例えば、サーボモータや同期モータ等を用いることができる。
【０１００】
すなわち、本発明は上記実施の形態に限られず、種々な構成で実現可能である。
【産業上の利用可能性】
【０１０１】
上記実施形態は、デジタルスチルカメラやデジタルビデオカメラなどに適用可能である。また、カメラ本体と交換レンズとを備えるカメラシステムにも適用可能である。
【図１】
2010026502.tif 000003
【図２】
2010026502.tif 000004
【図３】
2010026502.tif 000005
【図４】
2010026502.tif 000006
【図５】
2010026502.tif 000007
【図６】
2010026502.tif 000008
【図７】
2010026502.tif 000009
【図８】
2010026502.tif 000010
【図９】
2010026502.tif 000011
【図１０】
2010026502.tif 000012
【図１１】
2010026502.tif 000013
【図１２】
2010026502.tif 000014
【図１３】
2010026502.tif 000015